(57)【特許請求の範囲】
【請求項１】
放送内容を放送前に確認することが出来る、事前チェック機能付き放送システムにおいて、
識別情報を送信する手段を備えた複数のマイクロフォンと、
前記マイクロフォンと回線を介して接続され、前記識別情報を管理するコントローラと、
前記コントローラに格納され、前記マイクロフォンで受話した放送内容を記憶する記憶手段と、
前記識別情報を送信する手段を各々備えたそれぞれの前記マイクロフォンに設けられた事前チェック用スピーカと、
前記記憶手段に接続された少なくとも一つの放送用スピーカと、
を具備し、
前記識別情報を送信する手段を備えたマイクロフォンが、話者が録音、事前チェック、放送の各動作の指示を入力する入力部とを各々備え、前記入力部を介してマイクロフォンの識別情報を前記コントローラに送信することにより、前記コントローラがいずれのマイクロフォンからの信号かを識別し、前記記憶手段に録音された前記放送内容を前記識別情報を送信したマイクロフォンに設けられた前記事前チェック用スピーカで再生することによりユーザに事前チェックをさせてから、前記記憶手段に記憶された前記放送内容を前記放送用スピーカから再生させることを可能としたことを特徴とする、事前チェック機能付き放送システム。
【請求項２】
請求項１に記載の事前チェック機能付き放送システムであって、前記マイクロフォンがさらにＡＤ変換器と第１のＤＡ変換器を備え、前記放送用スピーカが第２のＤＡ変換器の出力を受け取り、前記マイクロフォンで受話した放送内容を前記ＡＤ変換器でデジタル変換した後に前記記憶手段に記憶することで前記放送内容の録音が行われ、前記記憶手段に記憶された前記放送内容が前記第２のＤＡ変換器でアナログ変換された後に前記放送用スピーカから再生されることで放送が行われることを特徴とする、事前チェック機能付き放送システム。
【請求項３】
前記放送内容に対応して付加情報を前記記憶手段に記憶することを特徴とする、請求項１または２に記載の事前チェック機能付き放送システム。
【発明の詳細な説明】
【０００１】
【発明の属する技術分野】
本発明は、建物などに設置される放送システムに関し、より詳細には、マイクロフォン端末（リモートマイク）で話した放送内容を、事前に確認してから放送することが出来る放送システムに関する。
【０００２】
【従来の技術】
従来の放送システム２００を図７に示す。放送システム２００は、複数のリモートマイク３０、アンプ３１および放送用スピーカ３２からなる。各リモートマイク３０とアンプ３１はアナログ回線で接続され、アンプ３１と放送用スピーカ３２はアナログ回線で接続されている。放送システム２００において、任意のリモートマイク３０が話者が発声した放送内容を受信すると、当該リモートマイク３０は話者が発声した放送内容を表すアナログ音声信号をアンプ３１に送信する。アンプ３１は、このアナログ音声信号を放送に適した大きさに増幅し、増幅されたアナログ音声信号を複数の放送用スピーカ３２へ送信する。これを受けて複数の放送用スピーカ３２が放送内容を再生出力する。
【０００３】
このように従来の放送システム２００においては、話者の発声した放送内容はそのまま即時に複数の放送用スピーカ３２から放送される。そのため、話者に緊張感を与え放送内容にミスが起こりやすいという問題があった。
【０００４】
また放送システム２００は、放送内容を録音する手段を備えていないので、同じ内容を別の機会に放送する場合には、再度話者が発声しなくてはならないという問題点があった。
【０００５】
【発明が解決しようとする課題】
本発明はこのような上記問題点に鑑みてなされたものであり、その目的は放送内容をスピーカから放送する前に、話者が放送内容を事前チェック出来る機能を備えた放送システムを提供することにある。
【０００６】
【課題を解決するための手段】
前記目的を達成するために、請求項１の発明は、
放送内容を放送前に確認することが出来る、事前チェック機能付き放送システムにおいて、
少なくとも一つのマイクロフォンと、
前記マイクロフォンで受話した放送内容を記憶する記憶手段と、
それぞれの前記マイクロフォンに設けられた事前チェック用スピーカと、
前記記憶手段に接続された少なくとも一つの放送用スピーカと、
を具備し、前記記憶手段に録音された前記放送内容を前記事前チェック用スピーカで再生して事前チェックを行ってから、前記記憶手段に記憶された前記放送内容を前記放送用スピーカから再生することを可能としたことを特徴とする、事前チェック機能付き放送システム、
を提供する。
【０００７】
また請求項２の発明は、
請求項１に記載の事前チェック機能付き放送システムであって、前記マイクロフォンと回線を介して接続されたコントローラをさらに具備し、前記コントローラが前記記憶手段を含んでいることを特徴とする、事前チェック機能付き放送システム、
を提供する。
【０００８】
また請求項３の発明は、
請求項２に記載の事前チェック機能付き放送システムであって、前記マイクロフォンがさらにＡＤ変換器と第１のＤＡ変換器を備え、前記放送用スピーカが第２のＤＡ変換器の出力を受け取り、前記マイクロフォンで受話した放送内容を前記ＡＤ変換器でデジタル変換した後に前記記憶手段に記憶することで前記放送内容の録音が行われ、前記記憶手段に記憶された前記放送内容が前記第２のＤＡ変換器でアナログ変換された後に前記放送用スピーカから再生されることで放送が行われることを特徴とする、事前チェック機能付き放送システム、
を提供する。
【０００９】
さらに請求項４に記載の発明は、
請求項１ないし３のいずれか一つに記載の事前チェック機能付き放送システムであって、前記マイクロフォンは、話者が録音、事前チェック、放送の各動作の指示を入力する入力部を有することを特徴とする、事前チェック機能付き放送システム、
を提供する。
【００１０】
また請求項５に記載の発明は、
請求項１ないし４に記載の事前チェック機能付き放送システムであって、前記放送内容に対応して付加情報を前記記憶手段に記憶することを特徴とする、事前チェック機能付き放送システム、
を提供する。
【００１１】
【発明の実施の形態】
図１は、本発明の一つの実施の形態に係る、事前チェック機能付き放送システム１００の構成を概略的に示す図である。事前チェック機能付き放送システム１００は、複数のリモートマイク１０、一台のコントローラ１１、複数の分散アンプ１２および複数の放送用スピーカ１３を含む。
【００１２】
コントローラ１１は、事前チェック機能付き放送システム１００全体の動作を制御、管理する機能を備え（図３，図４、図５を参照）、内部に、放送内容や付加情報（リモートマイクの識別番号（ＩＤ）、放送先の情報、録音した時刻情報、既に放送した時刻、放送した回数など）を録音するためのハードディスク・ドライブ（ＨＤＤ）１１１を備えている。
【００１３】
話者の発声した放送内容を受信する複数のリモートマイク１０は、事前チェックの際にＨＤＤ１１１に録音された放送内容を話者に対して再生出力するための事前チェック用スピーカ１０２を備えている。
【００１４】
図１に示すように、複数のリモートマイク１０とコントローラ１１との間は、双方向通信を行うことができる双方向デジタル回線１４を介して接続され、分散アンプ１２は単方向の回線１５を介してコントローラ１１と接続される。
【００１５】
図１に示す事前チェック機能付放送システム１００は、放送内容を放送用スピーカ１３から放送する前に、話者が放送内容を事前チェック出来る機能を備えている。そこで、話者が放送内容を事前チェックしてから放送することを希望する場合には、話者が任意のリモートマイク１０へ発声した放送内容はコントローラ１１のＨＤＤ１１１に録音され、分散アンプ１２へは伝達されない。ＨＤＤ１１１に録音された放送内容は、次いで事前チェックのために読み出されて当該リモートマイク１０へ送信され、リモートマイク１０の事前チェック用スピーカ１０２で話者に対して再生出力される。話者が放送内容の訂正を行わずそのまま放送することを希望する場合には、その旨がコントローラ１１へ指示され、ＨＤＤ１１１に録音された放送内容が読み出されて、分散アンプ１２を介して放送用スピーカ１３から放送される。これに対し、事前チェック用スピーカ１０２から再生された放送内容を聴いて、話者が放送内容の訂正を望む場合には、話者は再び発声を行って、その内容をＨＤＤ１１１へ記録する。このときには、ＨＤＤ１１１にすでに録音されていた放送内容の読み出しは行われない。
【００１６】
また、事前チェック機能付放送システム１００は、コントローラ１１のＨＤＤ１１１への録音を行わず、即時に放送を行うことも出来る。その場合には、任意のリモートマイク１０へ発声した放送内容は、コントローラ１１へは送信されず、分散アンプ１２を介して即時に複数の放送用スピーカ１３から放送される。
【００１７】
図１に示すリモートマイク１０は、図２に示すように、受話部１０１、ＡＤ変換器１０２、ＤＡ変換器１０３，事前チェック用スピーカ１０４、入力部１０５および通信制御部１０６を備えている。通信制御部１０６は、他の全ての構成要素と接続されている。また受話部１０１は、ＡＤ変換器１０２に接続され、事前チェック用スピーカ１０４はＤＡ変換器１０３に接続されている。
【００１８】
受話部１０１が話者の発生内容を受け取ると、ＡＤ変換器１０２は、受話部１０１から出力されたアナログ音声信号、即ち話者の発生内容を表すアナログ音声信号をデジタル音声信号へ変換し、通信制御部１０６へ送る。ＤＡ変換器１０３は、コントローラ１１のＨＤＤ１１１から伝達され通信制御部１０６で受信したデジタル音声信号をアナログ音声信号へ変換し、事前チェック用スピーカ１０４へ送る。
【００１９】
入力部１０５は、話者がコントローラ１１に対する指示、例えば録音開始、事前チェック開始、放送開始、放送終了などを入力したり、放送内容データが記憶されるＨＤＤ１１１のファイル名の入力などを行うためのキーを備える。例えば、話者が「録音開始キー」を押すと、受話部１０１は受話可能状態となり、コントローラ１１のＨＤＤ１１１も録音可能状態になる。そこで話者が発声を開始すると、放送内容はＡＤ変換器１０２によりデジタル化されて、コントローラ１１のＨＤＤ１１１にデジタル形式で録音される。
【００２０】
通信制御部１０６は、双方向デジタル回線１４と接続されて、コントローラ１１との間でデジタル信号の送受信を直接行うと共に、事前チェックを行わないときには、デジタル音声信号を回線１４，１５を介して分散アンプ１２に送信する。
【００２１】
複数のリモートマイク１０の各々には、識別番号（ＩＤ）が割り当てられており、話者がリモートマイク１０の入力部１０５に設けられた「録音開始キー」を押すと、当該識別番号がコントローラ１１へ送信される。コントローラ１１は、各リモートマイクのＩＤリストを有しており、受信した識別番号とＩＤリストとを照らし合わせて、いずれのマイクロフォンからの信号かを識別する。
【００２２】
複数の分散アンプ１２の各々は、ＤＡ変換器１２１を備えており、リモートマイク１０又はコントローラ１１からのデジタル音声信号をアナログ音声信号に変換し、放送に適した大きさに増幅した後、単方向アナログ回線１６を介して複数の放送用スピーカ１３に送信する。これを受けて、複数の放送用スピーカ１３は、分散アンプ１２から受け取ったアナログ音声信号を再生出力する。
【００２３】
以下、図３〜図６を用いて、図１の事前チェック機能付き放送システム１００において、放送内容を事前チェック後に放送する動作手順を説明する。
図１について説明したように、事前チェック機能付き放送システム１００は、放送内容を事前チェックしてから放送する場合、放送内容をコントローラ１１のＨＤＤ１１１に録音し、録音された放送内容をリモートマイク１０の事前チェック用スピーカ１０４で事前チェックした後、訂正がなければその録音された放送内容を放送用スピーカ１３から放送する。図３は、リモートマイク１０で受話した話者の放送内容をコントローラ１１のＨＤＤ１１１に録音する動作手順を示している。図４は、図３に示す録音動作終了後に、コントローラ１１に録音された放送内容をリモートマイク１０の事前チェック用スピーカ１０２で事前チェックする動作手順を示している。図５は、図４に示す事前チェック後に、事前チェックされた放送内容を放送用スピーカ１３で再生出力する動作を示している。
【００２４】
まず、話者はリモートマイク１０の入力部１０５の電源スイッチを入れると、リモートマイク１０の入力部１０５および通信制御部１０６は動作可能状態になる。そこで話者は図３のステップｓ１において、入力部１０５の「録音開始キー」を押す。これにより、コントローラ１１が動作可能状態になる。次いで入力部１０５からファイル名を入力すると、入力部１０５は、当該リモートマイク１０の識別番号を含む録音開始要求信号と入力されたファイル名を表す信号を通信制御部１０６へ送る。これを受けて通信制御部１０６は、これらの信号を双方向デジタル回線１４を介してコントローラ１１へ送信する。コントローラ１１は、これらの信号を受信すると、ステップｓ２において、リモートマイク１０の識別番号を各リモートマイクのＩＤリストと比較し、いずれのリモートマイク１０から送信された信号であるかを判断して、当該リモートマイク１０との通信回線を開く。またコントローラ１１は、受信したファイル名を表す信号に基づいて、当該ファイル名のファイルをＨＤＤ１１１に作成する。ファイルの作成が完了すると、ステップｓ３において、コントローラ１１は録音開始命令信号を双方向デジタル回線１４を介してリモートマイク１０へ送信する。ステップｓ４において、リモートマイク１０の通信制御部１０６がこの録音開始命令信号を受信すると、受話部１０１、ＡＤ変換部１０２が動作可能状態になる。ここで話者が発声を開始すると、受話部１０１は受話した音声に対応するアナログ音声信号をＡＤ変換器１０２へ送る。ＡＤ変換器１０２は受け取ったアナログ音声信号をデジタル音声信号に変換し、リモートマイク１０の識別番号と共に、通信制御部１０６へ出力する。通信制御部１０６は、受信したデジタル音声信号および識別番号を双方向デジタル回線１４を介してコントローラ１１へ送信する。コントローラ１１は受信した識別番号を用いてデジタル音声信号を、ステップｓ２においてＨＤＤ１１１に作成されたファイルへ記憶する。
【００２５】
話者が録音を終了する場合、ステップｓ５において、話者は入力部１０５の「録音終了キー」を押す。これを受けて通信制御部１０６は、録音終了要求信号を双方向デジタル回線１４を介してコントローラ１１に送信する。コントローラ１１は、録音終了要求信号をリモートマイク１０から受信すると、ステップｓ６において、ファイルを閉じて、放送終了命令信号を双方向デジタル回線１４を介してリモートマイク１０へ送信する。ステップｓ７において、リモートマイク１０の通信制御部１０６がコントローラ１１から放送終了命令信号を受信すると、リモートマイク１０は送信停止状態になる。これによって、コントローラ１１のＨＤＤ１１１への録音が完了する。
【００２６】
次に話者が放送内容の事前チェックを実行するために入力部１０５の「事前チェック・キー」を押すと、図４に示す動作手順に従って、リモートマイク１０の事前チェック用スピーカ１０２でＨＤＤ１１１に録音された放送内容が再生され、事前チェックが行われる。
【００２７】
「事前チェック・キー」が押されると、図４に示すステップｓ１１において、事前チェック開始要求信号が入力部１０５から通信制御部１０６へ、さらに双方向デジタル回線１４を介してコントローラ１１へ送信される。ステップｓ１２において、コントローラ１１が当該信号を受信すると、ステップｓ６で閉じたファイルが開かれ、ステップｓ１３においてコントローラ１１は、事前チェック開始命令信号を双方向デジタル回線１４を介してリモートマイク１０へ送信する。通信制御部１０６が当該信号を受信すると、事前チェック用スピーカ１０４およびＤＡ変換器１０３が動作可能状態になる。次いで、ステップｓ１４において、ステップｓ１２で開かれたファイルからデジタル音声信号が読み出され、読み出されたデジタル音声信号は双方向デジタル回線１４を介してリモートマイク１０へ送信される。通信制御部１０６で受信された当該デジタル音声信号は、ＤＡ変換器１０３でアナログ音声信号に変換され、事前チェック用スピーカ１０４で話者に向けて再生出力される。これによって話者は放送内容の事前チェックを行うことが出来る。
【００２８】
話者が最後まで放送内容の事前チェックを行うと、ステップｓ１５でコントローラ１１はステップｓ２で開いたファイルに記憶された全てのデジタル音声信号がリモートマイク１０へ送信されたことを検出する。そこでステップｓ１６において、コントローラ１１は、ファイルを閉じ、事前チェック終了命令信号を双方向デジタル回線１４を介してリモートマイク１０へ送信する。ステップｓ１７において、通信制御部１０６は、事前チェック終了命令信号を受信し、事前チェック用スピーカ１０４およびＤＡ変換器１０３を動作不能とし、音声出力は停止する。これにより放送内容の事前チェック動作が完了する。
【００２９】
話者が放送内容の事前チェックを途中で終了する場合には、ステップｓ１５’において話者はリモートマイク１０の入力部１０５の「事前チェック終了キー」を押して、事前チェック終了要求信号を通信制御部１０６および双方向デジタル回線１４を介してコントローラ１１へ送信する。
【００３０】
コントローラ１１が放送終了要求信号を受信すると、上述したステップｓ１６、ステップｓ１７の動作を経て放送内容の事前チェック動作が完了する。
次に話者が事前チェックされた放送内容を放送用スピーカ１３から放送することを希望する場合には、図５に示すステップｓ２１から始まる動作手順で放送が行われる。話者が入力部１０５の「放送開始キー」を押すと、入力部１０５はステップｓ２１において、放送開始要求信号を通信制御部１０６へ送信する。これを受けて通信制御部１０６は、当該信号を双方向デジタル回線１４を介してコントローラ１１に送信する。通信制御部１０６から放送開始要求信号を受信したコントローラ１１は、ステップｓ２２において、図３に示す手順で放送内容を記憶したファイルを開き、ステップｓ２３において、放送開始命令信号を単方向デジタル回線１５を介して分散アンプ１２へ送信する。分散アンプ１２が放送開始命令信号を受信すると、分散アンプ１２のＤＡ変換器１２１が動作可能状態になり、ステップｓ２４において、開かれたファイルから録音されたデジタル音声信号が読み出されて、分散アンプ１２へ送られる。分散アンプ１２へ送られたデジタル音声信号はＤＡ変換器１２１でアナログ音声信号に変換され、放送に適した大きさに増幅されてから、単方向アナログ回線１６を介して複数の放送用スピーカ１３へ送られ、複数の放送用スピーカ１３から放送される。
【００３１】
ファイルに録音された全ての放送内容が放送用スピーカ１３で放送されると、ステップｓ２５においてコントローラ１１は、ファイルに録音されたデジタル音声信号が全て読み出されて分散アンプ１２へ送信されたことを検出する。これに対し話者が放送を途中でやめる場合には、話者はステップｓ２５’においてリモートマイク１０の入力部１０５の「放送終了キー」を押す。そうすると、放送終了要求信号が通信制御部１０６から双方向デジタル回線１４を介してコントローラ１１に送信される。デジタル音声信号が全て読み出されたことを検出したか又は放送終了要求信号を受信したコントローラ１１は、ステップｓ２６において、ファイルを閉じて、放送終了命令信号を単方向デジタル回線１５を介して分散アンプ１２へ送信する。
【００３２】
放送終了命令信号を受信した分散アンプ１２は、ステップｓ２７においてＤＡ変換器１２１を動作不能状態にし、放送用スピーカ１３へのアナログ音声信号の送信を終了する。これにより、音声の出力が停止され、事前チェックした放送内容の放送用スピーカ１３での放送が終了する。
【００３３】
事前チェック機能付き放送システム１００は、ＨＤＤ１１への録音を行わずそのまま即時に放送すること（無録音放送）も可能である。図６は、無録音放送を行う場合の動作手順を示す。ステップｓ３１において、話者が入力部１０５の「無録音放送キー」を押すと、受話部１０１、ＡＤ変換器１０２は動作可能状態となり、無録音放送開始命令信号が入力部１０５から通信制御部１０６および双方向デジタル回線１４を介してコントローラ１１へ、さらに単方向デジタル回線１５を介して分散アンプ１２へ送られる。無録音放送開始信号を受け取って、コントローラ１１はＨＤＤ１１１を不動作のままとし、一方、分散アンプ１２はＤＡ変換器を動作可能状態にする。
【００３４】
ステップｓ３２において、話者が発声を開始すると、受話部１０１で受話された話者の放送内容を表すアナログ音声信号がＡＤ変換器１０２によってデジタル音声信号に変換され、通信制御部１０６へ送られる。通信制御部１０６は、送られてきたデジタル音声信号を双方向デジタル回線１４および単方向デジタル回線１５を介して分散アンプ１２に送信する。当該デジタル音声信号を受信した分散アンプ１２は、受信したデジタル音声信号を内蔵されたＤＡ変換器１２１でアナログ音声信号に変換し、放送に適した大きさに増幅してから、単方向アナログ回線１６を介して放送用スピーカ１３へ送り、放送用スピーカ１３から放送する。
【００３５】
放送を終了する場合、話者はステップｓ３３において、入力部１０５の「無録音放送終了キー」を押す。これに応答して、受話部１０１、ＡＤ変換器１０２は動作不能状態になり、入力部１０５は、無録音放送終了命令信号を通信制御部１０６、双方向デジタル回線１４および単方向デジタル回線１５を介して分散アンプ１２に送信する。当該信号を受信した分散アンプ１２は、ｓ３４においてＤＡ変換器１２１を動作不能状態にする。これにより音声の出力が停止し、無録音放送が終了する。
【００３６】
なお、ＨＤＤ１１１は放送内容以外にリモートマイクの識別番号（ＩＤ）、放送先の情報や録音した時刻情報、既に放送した時刻、放送した回数などの付加情報を記憶することが出来る。話者がそれらの情報をＨＤＤ１１１に記憶することを希望する場合には、入力部１０５にそれらの情報を入力し、上述した方法でＨＤＤ１１１への記憶が行われる。話者はこれらの情報を使用して、例えば複数回放送するときに最初の放送時間や既に放送した回数をリモートマイク側で知ることが出来る。
【００３７】
以上、本発明の事前チェック機能付き放送システムの一つの実施の形態を詳述したが、コントローラと分散アンプを別個の装置としても、一体の構成としてもよい。
また、コントローラ内の記憶装置として、ハードディスクの代わりに半導体メモリを使用してもよい。
【００３８】
また、コントローラと分散アンプを接続する回線は双方向デジタル回線としてもよい。
また、リモートマイクにＡＤ変換器とＤＡ変換器を設け、リモートマイクとコントローラをデジタル接続する代わりに、コントローラにＡＤ変換器とＤＡ変換器を設け、リモートマイクとコントローラの間はアナログ接続とした構成であってもよい。さらにＨＤＤの代わりにアナログ音声録音再生機を使用することも可能であり、その場合にはリモートマイクとコントローラの間およびコントローラと分散アンプの間はアナログ回線で接続される。
【００３９】
また、リモートマイクにディスプレを設け、リモートマイクやコントローラ等の動作状態、例えばリモートマイクが受話可能状態にあること、コントローラが録音可能状態にあることなどを表示させることも可能である。
【００４０】
さらに、本実施例ではファイル名を入力部１０５から入力する旨説明したが、ファイル名を自動的に生成してもよい。
【００４１】
【発明の効果】
以上、本発明の実施の形態を詳述したところから理解されるように、本発明の事前チェック機能付き放送システムは、（１）放送内容を事前チェックしてから放送することが出来るので、話者の緊張を抑えると共に放送のミスを防止することが出来る、（２）記憶手段を備えているため、話者が発声した放送内容を記憶手段に記憶しておくことで、複数回再生出来る、複数回の再生時には、実際の放送内容を事前に確認できることで、誤った放送内容を放送することを防止することが出来る、（３）リモートマイクからの操作で録音、事前チェック、放送を行うことが出来るため、通常の放送に若干の操作手順を加えるだけで操作を行うことが出来る、（４）記憶手段をコントローラ内に設けることにより、マイクロフォンそれぞれに記憶手段を設ける必要がなく、コストを抑えることが出来る、等の効果を奏する。
【図面の簡単な説明】
【図１】本発明に係る事前チェック機能付き放送システムの一つの実施の形態を概略的に示す図である。
【図２】図１に示すリモートマイクの構成の一例を示す図である。
【図３】図１に示す事前チェック機能付き放送システムにおいて、放送内容をコントローラのハードディスクへ録音する動作手順を示す図である。
【図４】図３に示す動作手順でハードディスクに録音された放送内容をリモートマイクの事前チェック用スピーカで事前チェックする動作手順を示す図である。
【図５】図４に示す動作手順で事前チェックした放送内容をハードディスクから読み出して放送する動作手順を示す図である。
【図６】図１に示す事前チェック機能付き放送システムにおいて、事前チェックを行わずに放送内容を放送する動作手順を示す図である。
【図７】従来の放送システムを示す図である。
【符号の説明】
１０  リモートマイク
１１  コントローラ
１２  分散アンプ
１３  放送用スピーカ
１００  事前チェック機能付き放送システム
【図１】
0004002778.tif 000002
【図２】
0004002778.tif 000003
【図３】
0004002778.tif 000004
【図４】
0004002778.tif 000005
【図５】
0004002778.tif 000006
【図６】
0004002778.tif 000007
【図７】
0004002778.tif 000008